【事件の表示】
　平成　８年特許願第　１８６２０号「磁気記録媒体及びこれを用いた磁気記録再生装置」拒絶査定不服審判事件〔平成　９年　８月１５日出願公開、特開平　９−２１２８５５〕について、次のとおり審決する。
【結　論】
　本件審判の請求は、成り立たない。
【理　由】
１　手続の経緯、本願発明
　本願は、平成８年２月５日の出願であって、平成１７年７月１１日付けで拒絶査定がなされ、これに対し、平成１７年８月１８日に拒絶査定不服審判が請求されるとともに、平成１７年８月１８日付け手続補正がなされたものである。
　本願の請求項１ないし２に係る発明は、平成１７年８月１８日付けの手続補正書により補正された明細書及び図面の記載からみて、その特許請求の範囲の請求項１ないし２に記載された事項により特定されるものであるところ、その請求項１に記載された発明（以下、「本願発明」という。）は、次のとおりである。
　「【請求項１】　テープ状の非磁性基体上に形成された磁性層を有する磁気記録媒体であって、
　該磁性層の磁化容易軸が磁気記録媒体表面から斜めに配向し、該磁化容易軸を該磁気記録媒体表面に投影したときに、該投影した軸が該テープ状の磁気記録媒体の長手方向から３０度以上６０度未満の角度で傾いて存在することを特徴とする磁気記録媒体。」
　
２　引用例
　原査定の拒絶の理由で引用された特開平１−２４５４２０号公報（以下「引用例１」という。）には、「磁気記録媒体およびその製造法」に関して次の事項が記載されている。（なお、下線は当審で付与した。）
　（ア）「（１）
記録層となる金属磁性層の結晶粒のベースフィルム面に投影した方向が磁気ヘッドの走行方向とほぼ同一方向となるようにベースフィルムの長さ方向に対して傾けられていることを特徴とする磁気記録媒体
　（イ）「このようにして製造された磁気記録媒体５８はその金属磁性層５６の形成過程においては、第７図に示す模式図から明らかなように全体の結晶粒５７は蒸着時に磁気記録媒体５８を巻取る方向５９に傾いて成長している。したがって、第６図に示すようにベースフィルム５１に投影した結晶粒５７の方向６０は、ベースフィルム５１の長手方向に平行になっている。」（公報２頁右上欄３行〜１０行、従来の技術の項）
　（ウ）「本発明の磁気記録媒体は、上記技術的手段により次のような作用を有する。
　すなわち、
結晶粒の成長方向には形状磁気異方性が働き、この方向は磁化容易方向となる
　（エ）「上記製造法により製造された本発明の磁気記録媒体を第１図に示す。同図において、１はベースフィルム、６はベースフィルム１上に設けられた磁性層、７は結晶粒である。この本発明の磁気記録媒体８における磁性金属層６の結晶粒７のベースフィルム１に投影した方向１０は磁気記録媒体１０の走行方向１１、すなわち、ベースフィルム１の長さ方向に対し、傾き角θで傾けられ、この傾き角θは磁気ヘッドをヘリカルスキャンにより走行させたときの磁気ヘッドの走行方向１２と一致されている。
　結晶粒の成長方向には形状磁気異方性が働き、この方向は磁化容易方向となる。そして、本発明は上記のように結晶粒７の方向１０を磁気ヘッド走行方向にほぼ一致させ、磁化され易い方向に揃えているので、磁気ヘッドからの記録磁界を有効に磁化させることができる。
　第３図はベースフィルム１面に投影した結晶粒７の方向１０と磁気記録媒体８の走行方向との角度θのずれに対する磁気ヘッド再生出力との関係を示す図である。同図から明らかなように角度ずれが結晶粒７の成長方向と磁気ヘッドの走行方向が一致したときに出力が最大になる。」（公報３頁右上欄４行〜左下欄６行、実施例の項）
　（オ）「以上の説明のように本発明の磁気記録媒体によれば、記録層となる金属磁性層の結晶粒のベースフィルム面に投影した方向を磁気ヘッドの走行方向とほぼ同一方向となるようにベースフィルムの長さ方向に対して傾けているので、記録、再生効率を向上させることができる。」（公報３頁左下欄１８行〜右下欄３行、発明の効果の項）
　
３　対比・判断
（１）対比
　本願発明と引用例１に記載された発明とを対比する。
　引用例１には、特に上記（ア）（ウ）（下線部参照）に摘示した記載事項によれば、
　「記録層となる金属磁性層の結晶粒のベースフィルム面に投影した方向が磁気ヘッドの走行方向とほぼ同一方向となるようにベースフィルムの長さ方向に対して傾けられている磁気記録媒体であって、
　結晶粒の成長方向が磁化容易方向である、磁気記録媒体。」
の発明が記載されている。
　引用例１に記載された発明の「ベースフィルム」「金属磁性層」は、それぞれ本願発明の「テープ状の非磁性基体」「磁性層」に相当している。
　引用例１に記載された発明の「ベースフィルムの長さ方向」は、本願発明の「テープ状の磁気記録媒体の長手方向」に相当している。
　引用例１に記載された発明の「磁気記録媒体」は、「記録層となる金属磁性層の結晶粒のベースフィルム面に投影した方向」が「ベースフィルムの長さ方向に対して傾けられて」いて、「結晶粒の成長方向が磁化容易方向である」から、本願発明の「磁気記録媒体」が「磁性層の磁化容易軸が磁気記録媒体表面から斜めに配向し、該磁化容易軸を該磁気記録媒体表面に投影したときに、該投影した軸が該テープ状の磁気記録媒体の長手方向から」「傾いて存在する」ことに相当する構成を備えている。
　
　してみると、本願発明と引用例１に記載された発明は、
　「テープ状の非磁性基体上に形成された磁性層を有する磁気記録媒体であって、
　該磁性層の磁化容易軸が磁気記録媒体表面から斜めに配向し、該磁化容易軸を該磁気記録媒体表面に投影したときに、該投影した軸が該テープ状の磁気記録媒体の長手方向から傾いて存在する磁気記録媒体。」
　である点で一致しており、以下の点で相違している。
　
　（相違点１）　「投影した軸」が「テープ状の磁気記録媒体の長手方向から」傾いて存在する角度について、本願発明は、「３０度以上６０度未満の角度」と特定されているのに対し、引用例１に記載された発明では、そのように特定されていない点。
　
（２）相違点１についての判断
　引用例１には、角度の具体的な値は例示されていないものの、引用例１に記載された発明においては、磁化容易軸方向である結晶粒の成長方向の、磁気記録媒体へ投影した方向が、磁気記録媒体の長手方向から、少なくとも０度より大きく９０度までの所定の角度で傾いているといえる。引用例１では、当該角度は、磁気記録媒体の長手方向とは角度をもって走行する磁気ヘッドの走行方向とほぼ同一方向となるように、適宜選定されるものであり、磁気ヘッドの走行方向の角度は、適宜設定されているものである。
　そうすると、引用例１に記載された発明において、少なくとも０度より大きく９０度までの角度の範囲内で角度を選定することは当業者が適宜なし得ることである。
　そこで、本願発明において「３０度以上６０度未満の角度」と限定している数値限定の意義について以下検討する。
　本願の発明の詳細な説明の項の記載をみると、磁気テープの例である実施例２には、１０度、２０度、３０度、４５度、６０度、７５度、９０度の角度の例が、図５、６、７の図示と共に説明され、磁気ヘッドのヨー角が０度の場合は、２０度から４５度の範囲で再生出力／媒体ノイズ比が向上し（段落２６）、磁気ヘッドのヨー角が１５度の場合は、３０度から７５度の範囲で高い再生出力／媒体ノイズ比が得られ（段落２７）、磁気ヘッドのヨー角が３０度の場合は、４５度から９０度の範囲で高い再生出力／媒体ノイズ比が得られる（段落２８）と記載されている。しかし、相違点１で特定されている角度の下限「３０度」及び上限「６０度未満」の臨界的意義について、本願の発明の詳細な説明の項には記載がない。
　よって、本願発明の「３０度以上６０度未満の角度」との限定はその臨界的意義があるとはいえないところ、図５〜７の記載を勘案しても当該角度の限定により格別の作用効果を奏しているとはいえないから、相違点１の範囲の角度は、引用例１に記載された発明に基いて当業者が適宜採用しうる程度の値にすぎない。
　なお、請求人が請求の理由で、「３０度以上６０度未満の角度」の限定の根拠及び作用効果について主張しているのでさらに検討する。
　下限「３０度」について、請求人は、図７に基いて、投影軸の角度が３０度以上となると投影軸の角度が０度の場合より良好な再生出力／媒体ノイズ特性が得られていることを根拠に説明している。しかし、図７はヨー角が３０度の例であり、ヘッド走行方向と投影軸の角度が３０度で一致する場合であるから、引用例１に記載された発明とその技術的意義が同じであり何ら相違しない。
　また、上限「６０度未満」について、請求人は、図５に基いて、投影軸の角度が０度の場合を基準にした場合、投影軸の角度が６０度のときに投影軸の角度が０度の場合とほぼ同じ再生出力／媒体ノイズ比が得られていることを根拠に説明しているが、再生出力がかなり減少していることをみれば、６０度未満の６０度近傍の角度の場合において、０度より優れた効果はないというべきである。
　よって、請求人の主張は採用できない。
　
　以上のとおり、本願発明の効果は、引用例１に記載された発明から当業者であれば予測される範囲内であり、格別顕著なものではない。
  
４　むすび
　したがって、本願発明は、本願出願前に頒布された引用例１に記載された発明に基いて当業者が容易に発明をすることができたものであるから、特許法第２９条第２項の規定により特許を受けることができない。他の請求項を検討するまでもなく、本願は拒絶すべきものである。
　よって、結論のとおり審決する。